(57)【要約】【課題】  シート材だけの簡易うちわを使用して広告を行う場合でも、より安価なコストにより広告を掲載した簡易うちわを広告媒体として利用できると共に、顧客に配布した簡易うちわにより顧客サービスを実施でき、更に、簡易うちわを配布したことによる広告効果の検証も行えるようにした広告用簡易うちわを提供する。【解決手段】  シート材と、該シート材の一部を切り取って指掛り部となる抜き孔を設けるために形成された抜き孔用切り取りミシンと、前記シート材に表示されている広告とを有する広告用簡易うちわであって、前記シート材は、該シート材の少なくとも一方の表面が複数領域に区分けされ、前記各領域毎に広告主の異なる広告情報が表示され、更に前記各領域毎に前記抜き孔用切り取りミシンが形成されている。【選択図】        図１
2007135856.tif 000002
【特許請求の範囲】
【請求項１】
シート材と、該シート材の一部を切り取って指掛り部となる抜き孔を設けるために形成された抜き孔用切り取りミシンと、前記シート材に表示されている広告とを有する広告用簡易うちわであって、
前記シート材は、該シート材の少なくとも一方の表面が複数領域に区分けされ、前記各領域毎に広告主の異なる広告情報が表示され、更に前記各領域毎に前記抜き孔用切り取りミシンが形成されていることを特徴とする広告用簡易うちわ。
【請求項２】
前記シート材の抜き孔用切り取りミシンが形成されている指掛り部となる領域に、前記抜き孔用切り取りミシンから切り取った部材を持ってきた顧客に対して、サービスを提供することを示すサービス情報が表示されていることを特徴とする請求項１記載の広告用簡易うちわ。
【発明の詳細な説明】
【技術分野】
【０００１】
本発明は、シート材と、該シート材の一部を切り取って指掛り部となる抜き孔を設けるために形成された抜き孔用切り取りミシンと、シート材に表示されている広告とを有する広告用簡易うちわに関する。
【背景技術】
【０００２】
従来、催し物やイベントなどが開催された際に顧客に無料で配布するグッズとして、円形のシート材だけで構成された簡易うちわが使用されている。
このような簡易うちわは、無料で配布することが多いことから、コストをできるだけ少なく抑える必要があり、そのために一般的に使用されているうちわのような、手で持つための柄の部分を無くして紙などのシート材だけを用いて、シート材に指掛り部となる抜き孔を設けた仕様のものが使われている。
そして、簡易うちわの使用者は、指掛り部に親指などの指を入れて、簡易うちわを往復運動させることで扇いで風を起こせることで利用する。
【０００３】
従来、シート材の端部に指掛り部を設けたり、シート材の表面に広告が表示してある簡易うちわが既に公知となっている。（例えば、特許文献１参照）
しかしながら、従来知られている簡易うちわは、１社の広告依頼主だけの広告を掲載する場合がほとんどで、複数の異なる広告依頼主の広告を１つの簡易うちわに併用して掲載することができなかった。
簡易うちわは、柄付きうちわに比べて安いコストで製造できるものの、零細企業などの資本の小さな会社にとっては、自社だけで大量の簡易うちわを製造するのはコストがかかりすぎて、簡易うちわを広告媒体として利用しにくいという問題がある。
【特許文献１】実用新案登録第３０５３０５８号公報
【０００４】
更に、コストをかけて簡易うちわによる広告を行ったとしても、簡易うちわを無料で配布したことによる広告効果がどれだけあったのかといったことを計る手段がないために、コスト対効果という検証を簡単に行えないという問題がある。
【発明の開示】
【発明が解決しようとする課題】
【０００５】
本発明の広告用簡易うちわは、シート材だけの簡易うちわを使用して広告を行う場合でも、より安価なコストにより広告を掲載した簡易うちわを広告媒体として利用できると共に、顧客に配布した簡易うちわにより顧客サービスを実施でき、更に、簡易うちわを配布したことによる広告効果の検証も行えるようにした広告用簡易うちわを提供する。
【課題を解決するための手段】
【０００６】
本発明の広告用簡易うちわは、シート材と、該シート材の一部を切り取って指掛り部となる抜き孔を設けるために形成された抜き孔用切り取りミシンと、前記シート材に表示されている広告とを有する広告用簡易うちわであって、前記シート材は、該シート材の少なくとも一方の表面が複数領域に区分けされ、前記各領域毎に広告主の異なる広告情報が表示され、更に前記各領域毎に前記抜き孔用切り取りミシンが形成されていることを特徴とする。
【０００７】
また、本発明の広告用簡易うちわは、前記シート材の抜き孔用切り取りミシンが形成されている指掛り部となる領域に、前記抜き孔用切り取りミシンから切り取った部材を持ってきた顧客に対して、サービスを提供することを示すサービス情報が表示されていることを特徴とする。
【発明の効果】
【０００８】
本発明の広告用簡易うちわは、シート材の少なくとも一方の表面が複数領域に区分けされ、各領域毎に広告主の異なる広告情報が表示されているので、１つの簡易うちわに複数の企業の広告を併用して掲載することが可能となり、広告主となる各企業が負担するコストを軽減することができ、簡易うちわを使用して広告を行う場合でも、より安価なコストにより広告を掲載した簡易うちわを広告媒体として利用できるという効果がある。
【０００９】
また、本発明の広告用簡易うちわは、シート材の抜き孔用切り取りミシンが形成されている指掛り部となる領域にサービス情報が表示されているので、顧客に配布した簡易うちわにより顧客サービスを実施でき、また、簡易うちわをもらった顧客がサービスを受けにくることで、簡易うちわを配布したことによる広告効果の検証も行えるという効果がある。
【発明を実施するための最良の形態】
【００１０】
以下、本発明の実施形態に係る広告用簡易うちわについて、図面に基づいて詳細に説明する。
図１は、本発明の実施形態に係る広告用簡易うちわの表面図、図２は、本発明の実施形態に係る広告用簡易うちわであって、１つの抜き孔用切り取りミシンから切り取り指掛り部を設けた状態を示す表面図、図３は、図２Ａ−Ａ線断面図、図４は、本発明の実施形態に係る広告用簡易うちわにおいて、１つの抜き孔用切り取りミシンから切り取ったシート材部分の表面図である。
【００１１】
本発明の実施形態に係る広告用簡易うちわ１は、円形のシート材２からなり、シート材２の表面が区画線３により４つの等分領域に区画されている。
この４つの区画領域は、１区画領域毎に、広告主からの依頼により、種々の商品、サービス、営業店舗、企業名などの広告を表示するための広告表示領域として利用することができる。
例えば、広告会社が、見本市などの催し物などにおいて、広告用簡易うちわ１を広告媒体として広告を行う企画を立てた場合に、その催し物に出展する企業が、広告用簡易うちわ１の１区画領域を自社の広告を表示する領域として使用する契約を広告会社と交わすことで、割安な広告費で簡易うちわに広告を掲載して来場者に広告を行えるようにしてある。
【００１２】
この場合、１つの広告用簡易うちわ１の表面には、広告主の異なる４種類の広告が併用して掲載されることになる。
尚、広告用簡易うちわ１の裏面側にも、表面側で区画したのと同様の区画線により４つの等分領域に区画して、各区画領域にそれぞれ広告主の異なる広告を掲載するようにしてもよい。
また、この場合には、広告用簡易うちわ１の表裏面側を同一の広告主の広告を掲載してもよいし、それぞれの区画領域を全て異なる広告主の広告を掲載するようにしてもよく、表裏面側を同一の広告主の広告を掲載する場合には、１つの広告用簡易うちわ１で４社の広告主の広告を掲載することとなり、また、それぞれの区画領域を全て異なる広告主の広告を掲載する場合には、１つの広告用簡易うちわ１で８社の広告主の広告を掲載することになる。
【００１３】
広告用簡易うちわ１の区画線３で区画された各区画領域には、シート材２の一部を切り取って指掛り部となる抜き孔を設けるために形成された抜き孔用切り取りミシン４が設けられている。
シート材２は、抜き孔用切り取りミシン４が形成された部分からシート材２の一部を押し出すなどしてシート材２の一部分を切り取ることで、指掛り部５となる抜き孔を形成することができるようになっている。
【００１４】
図２には、Ｃ社の広告が掲載された区画領域に形成されている抜き孔用切り取りミシン４から、シート材２の一部分を切り取って指掛り部５を設けた場合の例が示されている。
広告用簡易うちわ１を受け取った者は、抜き孔用切り取りミシン４からシート材２の一部分を切り取ることで指掛り部５を設け、この指掛り部５に親指などの指を入れて往復運動させて扇ぐことでうちわとして風を起こせるようにしてある。
広告用簡易うちわ１の利用者は、シート材２に設けられた複数の抜き孔用切り取りミシン４の中から指掛り部５とするために切り取るミシンを自由に選択することができる。
【００１５】
また、広告用簡易うちわ１の抜き孔用切り取りミシンが形成されている指掛り部となるシート材２の一部領域の表面には、抜き孔用切り取りミシン４から切り取ったシート材２の部材６を持ってきた顧客に対して、サービスを提供することを示すサービス情報７が表示されている。
サービス情報７の内容は、広告主が自由にその内容を決めることができる。
【００１６】
図４に示す場合では、サービス情報７として、その部材６が割引券として利用でき、この割引券１枚で全商品が５％割引きとなる旨のサービス内容が表示されている。
したがって、配布された広告用簡易うちわ１を受け取った者が、シート材２の一部分の部材６を割引券として使用することで、割引きなどの顧客サービスの提供を行えるようにしてある。
また、広告用簡易うちわ１の広告主側において、配布した広告用簡易うちわ１の一部分の部材６を、使用済みの割引券として回収することで、回収された部材６の数量を確認することで配布された広告用簡易うちわ１の広告効果がどの程度であったのか検証を行えるようにしてある。
【００１７】
上記の実施形態で説明した広告用簡易うちわ１は、シート材２の表面を区画線３により４つの等分領域に区画した形態として説明したものであるが、シート材２の表面を区画線３により複数の区画領域に分割してあれば２等分、３等分、５等分などに分割するようにしてもよい。
また、シート材２の表面を区画線３により区画する際に、等分領域として区画しないで、異なる面積を有する複数の領域として区画してもよい。
いずれにしても、本発明の広告用簡易うちわは、１つの広告用簡易うちわに複数の広告主の広告が併用して表示できるように複数領域に区画されているものであればよく、１つの広告用簡易うちわを配布することで複数の会社の広告を掲載できるようにしてある。
【図面の簡単な説明】
【００１８】
【図１】本発明の実施形態に係る広告用簡易うちわの表面図である。
【図２】本発明の実施形態に係る広告用簡易うちわであって、１つの抜き孔用切り取りミシンから切り取り指掛り部を設けた状態を示す表面図である。
【図３】図２Ａ−Ａ線断面図である。
【図４】本発明の実施形態に係る広告用簡易うちわにおいて、１つの抜き孔用切り
【符号の説明】
【００１９】
１  広告用簡易うちわ
２  シート材
３  区画線
４  抜き孔用切り取りミシン
５  指掛り部
６  部材
７  サービス情報
【図１】
2007135856.tif 000003
【図２】
2007135856.tif 000004
【図３】
2007135856.tif 000005
【図４】
2007135856.tif 000006